(57)【要約】【課題】圧着による圧着端子の伸びが抑制される端子付き電線を提供する。【解決手段】端子付き電線２は、電線と、電線の芯線６１に対して加締められた芯線圧着部１２を有する圧着端子１と、を備え、芯線圧着部は、底壁部２１と、底壁部における幅方向の端部から底壁部に対して交差する方向に向けて延出しており、芯線に対して巻き付けられた加締片２２，２３と、を有し、加締片の断面形状は、底壁部とは反対側に向けて凸の湾曲形状であり、加締片の湾曲部２２ｂ，２３ｂには、周囲の部分に対して段状に突出した突出部２５，２６が形成されている。【選択図】図８
2020170626.tif 000002
【特許請求の範囲】
【請求項１】
電線と、
前記電線の芯線に対して加締められた芯線圧着部を有する圧着端子と、
を備え、
前記芯線圧着部は、底壁部と、前記底壁部における幅方向の端部から前記底壁部に対して交差する方向に向けて延出しており、前記芯線に対して巻き付けられた加締片と、を有し、
前記加締片の断面形状は、前記底壁部とは反対側に向けて凸の湾曲形状であり、
前記加締片の湾曲部には、周囲の部分に対して段状に突出した突出部が形成されている
ことを特徴とする端子付き電線。
【請求項２】
前記突出部は、前記加締片における湾曲形状の頂部に形成されている
請求項１に記載の端子付き電線。
【請求項３】
前記突出部の突出方向は、前記圧着端子の高さ方向に沿って前記底壁部とは反対側へ向かう方向である
請求項１または２に記載の端子付き電線。
【請求項４】
前記加締片における前記電線の軸方向に沿った端部には、ベルマウス部が形成されており、
前記突出部は、前記加締片における前記ベルマウス部を除く領域に形成されている
請求項１から３の何れか１項に記載の端子付き電線。
【請求項５】
前記加締片は、前記底壁部における幅方向の一端から延出している第一加締片と、前記底壁部における幅方向の他端から延出している第二加締片と、を有し、
前記芯線圧着部は、前記第一加締片の外側面と前記第二加締片の外側面とを当接させながら前記芯線に対して加締められており、
前記突出部は、前記第一加締片の外側面に形成された第一突出部と、前記第二加締片の外側面に形成された第二突出部と、を有し、
前記第一突出部および前記第二突出部が前記底壁部の幅方向において互いに対向している
請求項１から４の何れか１項に記載の端子付き電線。
【請求項６】
前記圧着端子は、前記電線の被覆に対して加締められた被覆圧着部を有し、
前記圧着端子の高さ方向において、前記突出部の先端は、前記被覆圧着部の頂部よりも低い位置にある
請求項１から５の何れか１項に記載の端子付き電線。
【請求項７】
電線の芯線に対して加締められる芯線圧着部を有する圧着端子を下方から支持する下型と、
前記芯線圧着部を前記芯線に対して巻き付ける第一加締め面を有し、前記下型に向けて下降することにより前記圧着端子を前記電線に対して圧着させる上型と、
を備え、
前記第一加締め面において、前記下型と対向する部分は、周囲の部分に対して段状に凹んだ凹部を有する
ことを特徴とする端子圧着装置。
【発明の詳細な説明】
【技術分野】
【０００１】
本発明は、端子付き電線および端子圧着装置に関する。
【背景技術】
【０００２】
従来、電線に対して端子を圧着する技術がある。特許文献１には、摺接面が形成された本体と、当接部と、が設けられたクリンパを有する端子圧着装置の技術が開示されている。特許文献１の当接部は、本体から電線の延びる方向両側に突出すると共に、摺接面と交差する方向内方に更に突出して形成されて、ワイヤーバレル片が芯線に圧着される際に、電線の延びる方向について両側からワイヤーバレル片に当接する。特許文献１の端子圧着装置は、圧着の前後において、電線の延びる方向について端子金具の長さ寸法が大きくなることを抑制できるとされている。
【先行技術文献】
【特許文献】
【０００３】
【特許文献１】特開２０１０−８０１９４号公報
【発明の概要】
【発明が解決しようとする課題】
【０００４】
ここで、圧着による圧着端子の伸びを抑制することについて、なお改良の余地が残されている。
【０００５】
本発明の目的は、圧着による圧着端子の伸びが抑制される端子付き電線および端子圧着装置を提供することである。
【課題を解決するための手段】
【０００６】
本発明の端子付き電線は、電線と、前記電線の芯線に対して加締められた芯線圧着部を有する圧着端子と、を備え、前記芯線圧着部は、底壁部と、前記底壁部における幅方向の端部から前記底壁部に対して交差する方向に向けて延出しており、前記芯線に対して巻き付けられた加締片と、を有し、前記加締片の断面形状は、前記底壁部とは反対側に向けて凸の湾曲形状であり、前記加締片の湾曲部には、周囲の部分に対して段状に突出した突出部が形成されていることを特徴とする。
【発明の効果】
【０００７】
本発明に係る端子付き電線において、加締片の湾曲部には、周囲の部分に対して段状に突出した突出部が形成されている。本発明に係る端子付き電線によれば、圧着時に突出部を形成する分の体積が逃がされることで、圧着端子の伸びが抑制されるという効果を奏する。
【図面の簡単な説明】
【０００８】
【図１】図１は、実施形態の圧着端子および電線を示す斜視図である。
【図２】図２は、実施形態に係る端子圧着装置を示す正面図である。
【図３】図３は、実施形態に係る上型の斜視図である。
【図４】図４は、実施形態に係る上型の下面図である。
【図５】図５は、実施形態に係る上型の断面図である。
【図６】図６は、実施形態に係る端子付き電線の平面図である。
【図７】図７は、実施形態に係る端子付き電線の側面図である。
【図８】図８は、実施形態に係る端子付き電線の断面図である。
【図９】図９は、実施形態の第１変形例に係る端子付き電線の側面図である。
【図１０】図１０は、実施形態の第２変形例に係る端子付き電線の平面図である。
【図１１】図１１は、実施形態の第２変形例に係る端子付き電線の側面図である。
【図１２】図１２は、実施形態の第３変形例に係る端子付き電線の断面図である。
【発明を実施するための形態】
【０００９】
以下に、本発明の実施形態に係る端子付き電線および端子圧着装置につき図面を参照しつつ詳細に説明する。なお、この実施形態によりこの発明が限定されるものではない。また、下記の実施形態における構成要素には、当業者が容易に想定できるものあるいは実質的に同一のものが含まれる。
【００１０】
［実施形態］
図１から図８を参照して、実施形態について説明する。本実施形態は、端子付き電線および端子圧着装置に関する。図１は、実施形態の圧着端子および電線を示す斜視図、図２は、実施形態に係る端子圧着装置を示す正面図、図３は、実施形態に係る上型の斜視図、図４は、実施形態に係る上型の下面図、図５は、実施形態に係る上型の断面図、図６は、実施形態に係る端子付き電線の平面図、図７は、実施形態に係る端子付き電線の側面図、図８は、実施形態に係る端子付き電線の断面図である。図５には、図４のV−V断面が示されている。図８には、図６のVIII−VIII断面が示されている。
【００１１】
図１に示すように、本実施形態に係る圧着端子１は、端子接続部１１、芯線圧着部１２、および被覆圧着部１３を有する。端子接続部１１、芯線圧着部１２、および被覆圧着部１３は、この順序で圧着端子１の長手方向に沿って配置されている。圧着端子１は、母材としての導電性の金属板（例えば銅板、銅合金板）から形成される。圧着端子１は、母材に対する打ち抜き加工や折り曲げ加工等により所定の形状に形成される。圧着端子１の表面には、スズ（Ｓｎ）等のメッキがなされていてもよい。
【００１２】
本明細書では、圧着端子１の説明において、相手側端子との接続方向、すなわち相手側端子との挿入方向を第一方向Ｌと称する。第一方向Ｌは、圧着端子１の長手方向である。圧着端子１の幅方向を第二方向Ｗと称する。第二方向Ｗは、第一方向Ｌと直交している。圧着端子１において、第一方向Ｌおよび第二方向Ｗの何れとも直交する方向を第三方向Ｈと称する。第三方向Ｈは、圧着端子１が圧着される際の上型５０による圧縮方向である。第三方向Ｈは、圧着端子１の高さ方向である。
【００１３】
端子接続部１１は、相手側端子と電気的に接続される部分である。本実施形態の端子接続部１１の形状は、角筒形状である。芯線圧着部１２は、電線６０の芯線６１に対して圧着される部分である。電線６０は、芯線６１と、被覆６２とを有する。芯線６１の材料は、例えば、銅やアルミニウムである。圧着端子１の圧着対象である電線６０は、端部の被覆６２が取り除かれて芯線６１が所定の長さ露出している。本実施形態の芯線６１は、複数本の素線の集合体である。ただし、芯線６１は、同軸ケーブルのような単線であってもよい。圧着端子１は、電線６０の端部に圧着されることで、露出している芯線６１に対して電気的に接続される。
【００１４】
芯線６１に対して圧着される前の芯線圧着部１２の形状は、図１に示すようにＵ字状の形状である。芯線圧着部１２は、底壁部２１と、第一加締片２２と、第二加締片２３とを有する。底壁部２１は、芯線圧着部１２の底壁となる部分であり、後述する下型４０によって支持される。第一加締片２２および第二加締片２３は、芯線６１に加締められる一対の導体加締片である。第一加締片２２は、底壁部２１の幅方向の一端から延出している側壁部である。第二加締片２３は、底壁部２１の幅方向の他端から延出している側壁部である。第一加締片２２および第二加締片２３は、底壁部２１の幅方向に対して交差する方向に延出している。第一加締片２２と第二加締片２３とは第二方向Ｗにおいて互いに対向している。図１および図２に示すように、第一加締片２２と第二加締片２３との間隔は、底壁部２１側から先端側へ向かうに従って広がっている。
【００１５】
図１に示すように、被覆圧着部１３は、底壁部３１、第三加締片３２、および第四加締片３３を有する。被覆６２に対して圧着される前の被覆圧着部１３の形状は、図１に示すようにＵ字状の形状である。底壁部３１は、被覆圧着部１３の底壁となる部分である。第三加締片３２は、底壁部３１の幅方向の一端から延出している側壁部である。第四加締片３３は、底壁部３１の幅方向の他端から延出している側壁部である。第三加締片３２と第四加締片３３とは第二方向Ｗにおいて互いに対向している。第三加締片３２と第四加締片３３との間隔は、底壁部３１側から先端側へ向かうに従って広がっている。被覆圧着部１３は、下型４０および上型５０によって被覆６２に対して圧着される。
【００１６】
端子接続部１１と芯線圧着部１２とは、中間部１４を介してつながっている。中間部１４の高さは、端子接続部１１の高さおよび芯線圧着部１２の高さの何れよりも低い。芯線圧着部１２と被覆圧着部１３とは、中間部１５を介してつながっている。中間部１５は、底壁部１５ａおよび側壁部１５ｂを有する。底壁部１５ａは、芯線圧着部１２の底壁部２１と被覆圧着部１３の底壁部３１とをつないでいる。側壁部１５ｂは、底壁部１５ａの両側からそれぞれ延出している。一方の側壁部１５ｂは第一加締片２２と第三加締片３２とをつないでいる。他方の側壁部１５ｂは、第二加締片２３と第四加締片３３とをつないでいる。側壁部１５ｂの高さは、芯線圧着部１２の各加締片２２，２３の高さおよび被覆圧着部１３の各加締片３２，３３の高さの何れよりも低い。
【００１７】
電線６０は、図１に示すように、電線６０の軸方向が圧着端子１の長手方向と一致するようにして圧着端子１に載置される。圧着端子１に載置された状態で、芯線６１の先端６１ａは、端子接続部１１に向けられている。被覆６２から外部に露出した芯線６１は、芯線圧着部１２に載置される。このときに、芯線６１の先端６１ａは、芯線圧着部１２から端子接続部１１側に突出していてもよい。被覆圧着部１３には、電線６０の被覆６２が載置される。電線６０は、例えば、被覆６２の先端６２ａが芯線圧着部１２と被覆圧着部１３との間に位置するように設置される。
【００１８】
芯線圧着部１２および被覆圧着部１３は、図２に示すように、下型４０および上型５０によって電線６０に対して圧着される。下型４０および上型５０は、端子圧着装置１００の構成要素である。下型４０は、芯線圧着部１２および被覆圧着部１３を下方から支持する支持側の金型である。下型４０の支持面４０ａは、芯線圧着部１２の底壁部２１の外側面を支持する。従って、芯線圧着部１２が下型４０によって支持されている状態で、第一加締片２２および第二加締片２３は、底壁部２１から斜め上方に向けて延出した姿勢となる。下型４０は、同様にして、被覆圧着部１３を下方から支持する。
【００１９】
上型５０は、圧着端子１および電線６０を下型４０との間に挟み込んで圧着端子１を電線６０に対して圧着させる端子圧着用金型である。上型５０は、芯線圧着部１２および芯線６１を下型４０との間に挟み込んで芯線圧着部１２を芯線６１に対して圧着させる。また、上型５０は、被覆圧着部１３および被覆６２を下型４０との間に挟み込んで被覆圧着部１３を被覆６２に対して圧着させる。図２に示すように、上型５０は、下型４０の上方に配置されている。上型５０は、下型４０に対して第三方向Ｈに沿って相対移動する。端子圧着装置１００は、上型５０を第三方向Ｈに沿って上下動させる駆動装置１１０を有する。
【００２０】
本実施形態の上型５０は、図２から図５に示す第一上型７０を有する。第一上型７０は、芯線圧着部１２を芯線６１に対して加締める金型である。上型５０は、第一上型７０とは別に、図示しない第二上型を有する。第二上型は、被覆圧着部１３を被覆６２に対して加締める。第二上型は、第一上型７０と共に上下動する。なお、第一上型７０と第二上型とが一体であってもよい。
【００２１】
図２に示すように、第一上型７０は、凹状の第一加締め面７１を有する。第一加締め面７１は、第一上型７０の下面に設けられた溝状の凹面である。本実施形態の第一上型７０は、所謂Ｂ型圧着方式（図８参照）で芯線圧着部１２を芯線６１に対して加締める。図２に示すように、第一加締め面７１は、第一壁面７２および第二壁面７３を有する。第一壁面７２と第二壁面７３とは第二方向Ｗにおいて互いに対向している。
【００２２】
第一壁面７２および第二壁面７３は、第三方向Ｈに沿って下方へ向かうに従って互いに遠ざかっている。第一壁面７２の上端部には、第一曲面７４が設けられている。第二壁面７３の上端部には、第二曲面７５が設けられている。第一曲面７４および第二曲面７５は、第三方向Ｈにおいて下型４０と対向する面であり、上方に向けて湾曲している。第一曲面７４および第二曲面７５は、第一壁面７２および第二壁面７３における下型４０から最も離れた奥部に位置している。第一曲面７４および第二曲面７５は、第二方向Ｗにおいて隣接している。第一曲面７４と第二曲面７５との境界は、下方に向けて突出した峰部７６となっている。
【００２３】
図３および図４に示すように、第一曲面７４および第二曲面７５は、境界部７４ａ，７５ａを有する。境界部７４ａ，７５ａは曲率が変化する境界線である。第一曲面７４の曲率半径は、境界部７４ａにおいて変化している。すなわち、第一曲面７４の曲率半径の大きさは、境界部７４ａよりも第二方向Ｗの一方側の部分と第二方向Ｗの他方側の部分とで異なる。第一曲面７４において、境界部７４ａよりも峰部７６側の部分の曲率半径が相対的に小さくされてもよい。
【００２４】
第二曲面７５の曲率半径の大きさは、境界部７５ａよりも第二方向Ｗの一方側の部分と第二方向Ｗの他方側の部分とで異なる。第二曲面７５において、境界部７５ａよりも峰部７６側の部分の曲率半径が相対的に小さくされてもよい。
【００２５】
第一曲面７４は、第一加締片２２を第二曲面７５側に向けて折り曲げ、第一加締片２２を芯線６１に巻き付ける。第二曲面７５は、第二加締片２３を第一曲面７４側に向けて折り曲げ、第二加締片２３を芯線６１に巻き付ける。これにより、図６から図８に示す端子付き電線２が形成される。圧着工程において、芯線圧着部１２は、芯線６１に対して加締められて芯線６１に対して電気的に接続される。圧着工程において、被覆圧着部１３は、被覆６２に対して加締められて被覆６２を保持する。図６および図７に示すように、芯線６１の中間露出部６１ｂは、芯線圧着部１２と被覆圧着部１３との間において外部空間に露出する。また、芯線６１の先端６１ａは、芯線圧着部１２から端子接続部１１側に向けて突出する。
【００２６】
本実施形態の第一上型７０は、図３から図５に示すように、凹部７７を有する。凹部７７は、第一上型７０の第一加締め面７１に設けられている。凹部７７は、周囲の部分に対して段状に凹んでいる。言い換えると、凹部７７は、凹部７７の周囲の部分に対して陥没している。凹部７７は、第一凹部７８と、第二凹部７９と、を有する。第一凹部７８は、第一壁面７２の第一曲面７４に設けられている。つまり、第一凹部７８は、第一壁面７２のうち、第三方向Ｈにおいて下型４０と対向する部分に配置されている。第二凹部７９は、第二壁面７３の第二曲面７５に設けられている。つまり、第二凹部７９は、第二壁面７３のうち、第三方向Ｈにおいて下型４０と対向する部分に配置されている。第一凹部７８および第二凹部７９は、第三方向Ｈに沿って延在している。
【００２７】
本実施形態の第一凹部７８および第二凹部７９の形状は、内部に円柱形状の空間を有する形状である。すなわち、第一凹部７８および第二凹部７９において、深さ方向と直交する断面の断面形状は、円形である。第一凹部７８の断面形状と、第二凹部７９の断面形状とは、例えば、同一形状または実質的に同一の形状である。第一凹部７８の深さと、第二凹部７９の深さとは、例えば、同じである。
【００２８】
第一凹部７８および第二凹部７９は、幅方向、すなわち第二方向Ｗにおいて隣接している。第一方向Ｌにおける第一凹部７８の中心の位置と、第一方向Ｌにおける第二凹部７９の中心の位置とが同じ位置とされてもよい。本実施形態では、図４および図５に示すように、峰部７６の先端から第一凹部７８の中心軸線までの距離Ｗ１と、峰部７６の先端から第二凹部７９の中心軸線までの距離Ｗ２とが等しい。距離Ｗ１および距離Ｗ２は、第二方向Ｗに沿った距離である。つまり、第一凹部７８および第二凹部７９は、峰部７６の先端に関して線対称に配置されている。第一凹部７８は、例えば、第一凹部７８の中心軸線が境界部７４ａに位置するように配置される。第二凹部７９は、例えば、第二凹部７９の中心軸線が境界部７５ａに位置するように配置される。
【００２９】
第一加締め面７１は、端部傾斜面８０を有する。端部傾斜面８０は、第一加締め面７１における第一方向Ｌの一端に設けられている。端部傾斜面８０は、第一方向Ｌに対して傾斜しており、かつ第一方向Ｌに沿って主面７０ａへ近づくに従って広がっている。主面７０ａは、第一上型７０が有する一対の主面の一つであり、第一方向Ｌと直交している。主面７０ａは、圧着工程において電線６０の被覆６２側を向く面である。言い換えると、主面７０ａは、圧着工程において芯線６１の基端側に位置する面である。凹部７７は、例えば、第一方向Ｌにおける主面７０ａ寄りの位置に設けられる。凹部７７は、端部傾斜面８０と重ならないように配置される。
【００３０】
図８に示すように、芯線圧着部１２は、略Ｂ字形状をなすようにして芯線６１に対して圧着される。加締め後の第一加締片２２および第二加締片２３の断面形状は、それぞれ底壁部２１側とは反対側に向けて凸の湾曲形状である。より詳しくは、第一加締片２２は、湾曲部２２ｂおよび基端部２２ｃを有する。基端部２２ｃは、底壁部２１から第三方向Ｈに沿って延出している部分である。基端部２２ｃの断面形状は、略直線形状である。湾曲部２２ｂは、第一加締片２２における基端部２２ｃよりも先端側の部分である。湾曲部２２ｂは、先端２２ａが第三方向Ｈにおいて底壁部２１と対向するように湾曲している。
【００３１】
第二加締片２３は、湾曲部２３ｂおよび基端部２３ｃを有する。基端部２３ｃは、底壁部２１から第三方向Ｈに沿って延出している部分である。基端部２３ｃの断面形状は、略直線形状である。湾曲部２３ｂは、第二加締片２３における基端部２３ｃよりも先端側の部分である。湾曲部２３ｂは、先端２３ａが第三方向Ｈにおいて底壁部２１と対向するように湾曲している。第一加締片２２および第二加締片２３は、第一加締片２２の外側面２２ｄと第二加締片２３の外側面２３ｄとを当接させながら芯線６１に対して加締められている。第一加締片２２と第二加締片２３とが当接する部分には、溝部２４が形成される。溝部２４は、湾曲部２２ｂ，２３ｂの間に形成される溝状の部分であり、第一方向Ｌに沿って延在する。
【００３２】
図６から図８に示すように、本実施形態の端子付き電線２において、第一加締片２２および第二加締片２３には、突出部２５，２６が形成されている。第一突出部２５は、第一加締片２２の外側面２２ｄに配置された突出部である。第一突出部２５は、外側面２２ｄにおける周囲の部分に対して段状に突出している。第一突出部２５は、例えば、第一加締片２２における湾曲形状の頂部に形成される。第二突出部２６は、第二加締片２３の外側面２３ｄに配置された突出部である。第二突出部２６は、外側面２３ｄにおける周囲の部分に対して段状に突出している。第二突出部２６は、例えば、第二加締片２３における湾曲形状の頂部に形成される。
【００３３】
第一突出部２５および第二突出部２６は、底壁部２１とは反対側に向けて突出している。第一突出部２５および第二突出部２６の突出方向は、第三方向Ｈ、すなわち圧着端子１の高さ方向である。第一突出部２５および第二突出部２６は、第三方向Ｈに対してわずかに傾斜した方向に向けて突出していてもよい。
【００３４】
第一突出部２５および第二突出部２６は、圧着工程において形成される。圧着工程では、上型５０および下型４０によって芯線６１に対して芯線圧着部１２が加締められる。芯線圧着部１２が加締められる際に、芯線圧着部１２の一部が凹部７７に入り込むことにより第一突出部２５および第二突出部２６が形成される。第一突出部２５は、圧着工程において第一加締片２２の一部が第一凹部７８に入り込むことで形成される。第二突出部２６は、圧着工程において第二加締片２３の一部が第二凹部７９に入り込むことで形成される。芯線圧着部１２の一部が凹部７７に入り込むことで、圧着工程における圧着端子１の伸びが抑制される。従って、本実施形態の端子付き電線２では、圧着端子１の伸び量が低減され、伸び量のバラツキが生じにくい。本実施形態の端子付き電線２によれば、電気接続箱等のキャビティから圧着端子１が飛び出してしまうことが抑制される。
【００３５】
図６から図８に示すように、本実施形態の第一突出部２５および第二突出部２６の形状は、円柱形状である。第一突出部２５および第二突出部２６において、突出方向と直交する断面における断面形状は、円形である。第一突出部２５の断面形状と、第二突出部２６の断面形状とは、同一形状または実質的に同一の形状であってもよい。第一突出部２５の突出高さと、第二突出部２６の突出高さとは、例えば、同じである。
【００３６】
図７に示すように、第二突出部２６の先端２６ａは、被覆圧着部１３の頂部１３ａよりも低い位置にある。すなわち、底壁部２１から先端２６ａまでの第三方向Ｈの距離は、底壁部３１から頂部１３ａまでの第三方向Ｈの距離よりも短い。また、先端２６ａは、端子接続部１１の頂部１１ａよりも低い位置にある。第一突出部２５の先端２５ａ（図８参照）の高さ位置は、先端２６ａの高さ位置と同様である。すなわち、先端２５ａは、被覆圧着部１３の頂部１３ａ、および端子接続部１１の頂部１１ａの何れよりも低い位置にある。従って、二つの突出部２５，２６は、圧着端子１がキャビティに対して収容される際に、キャビティの壁面と干渉しにくい。
【００３７】
第一突出部２５および第二突出部２６は、幅方向、すなわち第二方向Ｗにおいて互いに対向している。第一方向Ｌにおける第一突出部２５の中心の位置と、第一方向Ｌにおける第二突出部２６の中心の位置とが同じ位置であってもよい。本実施形態では、図６に示すように、端子付き電線２の中心線Ｃ１から第一突出部２５の中心までの距離Ｗ３と、中心線Ｃ１から第二突出部２６の中心までの距離Ｗ４とが等しい。つまり、端子付き電線２を平面視した場合に、第一突出部２５および第二突出部２６は、中心線Ｃ１に関して線対称に配置されている。
【００３８】
第一方向Ｌにおける第一突出部２５および第二突出部２６の位置は、例えば、芯線圧着部１２の中央よりも被覆圧着部１３側の位置や、中央よりも端子接続部１１側の位置であってもよい。なお、第一突出部２５および第二突出部２６は、芯線圧着部１２におけるベルマウス部２７を除く領域に形成されることが望ましい。ベルマウス部２７は、第一上型７０の端部傾斜面８０に応じて形成される部分である。ベルマウス部２７は、芯線圧着部１２における被覆圧着部１３側の端部に形成される。ベルマウス部２７の外側面は、第一方向Ｌに対して傾斜している傾斜面である。ベルマウス部２７は、第一方向Ｌに沿って被覆圧着部１３へ近づくに従って広がるように傾斜している。
【００３９】
本実施形態の第一突出部２５は、第一加締片２２におけるベルマウス部２７を除く領域に形成されている。第二突出部２６は、第二加締片２３におけるベルマウス部２７を除く領域に形成されている。第一突出部２５および第二突出部２６をこのように配置するために、図４等に示すように、凹部７７は端部傾斜面８０から離間している。つまり、凹部７７は、第一曲面７４および第二曲面７５において、端部傾斜面８０を除く領域に形成されている。
【００４０】
以上説明したように、本実施形態の端子付き電線２は、電線６０と、圧着端子１と、を有する。圧着端子１は、電線６０の芯線６１に加締められた芯線圧着部１２を有する。芯線圧着部１２は、底壁部２１と、加締片２２，２３と、を有する。加締片２２，２３は、底壁部２１における第二方向Ｗの端部から底壁部２１に対して交差する方向に向けて延出しており、芯線６１に対して巻き付けられている。
【００４１】
加締片２２，２３の断面形状は、底壁部２１とは反対側に向けて凸の湾曲形状である。加締片２２，２３の湾曲部２２ｂ，２３ｂには、周囲の部分に対して段状に突出した突出部２５，２６が形成されている。突出部２５，２６が形成された圧着端子１は、圧着工程において圧着端子１の延びが抑制されている。突出部２５，２６の分の体積が逃げていることで、第一方向Ｌに沿った圧着端子１の伸びが抑制されている。よって、本実施形態の端子付き電線２は、圧着による圧着端子の伸びが抑制されるという効果を奏する。また、圧着端子１の伸びが抑制されていることで、第一方向Ｌに沿った圧着端子１の長さにバラツキが生じにくい。
【００４２】
本実施形態の端子付き電線２では、加締片２２，２３における第一方向Ｌに沿った端部にはベルマウス部２７が形成されている。突出部２５，２６は、加締片２２，２３におけるベルマウス部２７を除く領域に形成されている。実施形態では、第一方向Ｌにおけるベルマウス部２７よりも端子接続部１１側の領域に突出部２５，２６が形成されている。ベルマウス部２７を除く領域に突出部２５，２６が形成されることで、ベルマウス部２７の形成と、突出部２５，２６の形成とが互いに干渉しない。
【００４３】
本実施形態の加締片２２，２３は、第一加締片２２と、第二加締片２３とを有する。第一加締片２２は、底壁部２１における幅方向の一端から延出しており、第二加締片２３は、底壁部２１における幅方向の他端から延出している。芯線圧着部１２は、第一加締片２２の外側面２２ｄと第二加締片２３の外側面２３ｄとを当接させながら芯線６１に対して加締められている。突出部２５，２６は、第一加締片２２の外側面２２ｄに形成された第一突出部２５と、第二加締片２３の外側面２３ｄに形成された第二突出部２６と、を有する。第一突出部２５および第二突出部２６は、底壁部２１の幅方向において互いに対向している。よって、圧着端子１における対称性が確保され、圧着端子１の性能のバラツキが生じにくい。例えば、第一加締片２２側の伸び量と第二加締片２３側の伸び量との間にバラツキが生じにくい。
【００４４】
本実施形態の圧着端子１は、電線６０の被覆６２に対して加締められた被覆圧着部１３を有する。圧着端子１の高さ方向において、突出部２５，２６の先端２５ａ，２６ａは、被覆圧着部１３の頂部１３ａよりも低い位置にある。よって、圧着端子１がキャビティに収容される際に、突出部２５，２６がキャビティと干渉しにくい。
【００４５】
本実施形態の端子圧着装置１００は、下型４０と、上型５０と、を有する。下型４０は、電線６０の芯線６１に対して加締められる芯線圧着部１２を有する圧着端子１を下方から支持する。上型５０は、芯線圧着部１２を芯線６１に対して巻き付ける第一加締め面７１を有し、下型４０に向けて下降することにより圧着端子１を電線６０に対して圧着させる。第一加締め面７１において、下型４０と対向する部分は、周囲の部分に対して段状に凹んだ凹部７７を有する。実施形態では、第一曲面７４および第二曲面７５が凹部７７を有している。凹部７７を有する上型５０は、圧着工程において芯線圧着部１２の一部を凹部７７に逃がすことで、圧着端子１の伸びを抑制することができる。
【００４６】
［実施形態の第１変形例］
実施形態の第１変形例について説明する。図９は、実施形態の第１変形例に係る端子付き電線の側面図である。図９に示す端子付き電線２は、底壁部２１に凹部２１ａを有する。凹部２１ａは、例えば、圧着工程において下型４０によって形成される。この場合、支持面４０ａに凸部を有する下型４０が圧着工程において用いられる。凹部２１ａは、第一方向Ｌに沿って延在している。凹部２１ａは、例えば、底壁部２１における第二方向Ｗの中央部に形成される。
【００４７】
底壁部２１に凹部２１ａが形成される場合には、第一突出部２５および第二突出部２６は凹部２１ａと重ならないように配置されることが好ましい。第一突出部２５および第二突出部２６は、例えば、凹部２１ａよりも被覆圧着部１３側の位置に形成される。第一突出部２５および第二突出部２６は、凹部２１ａよりも端子接続部１１側の位置に形成されてもよい。第一方向Ｌにおいて凹部２１ａの位置と突出部２５，２６の位置とがずれていることで、芯線圧着部１２の強度低下が抑制される。
【００４８】
［実施形態の第２変形例］
実施形態の第２変形例について説明する。図１０は、実施形態の第２変形例に係る端子付き電線の平面図、図１１は、実施形態の第２変形例に係る端子付き電線の側面図である。実施形態の第２変形例において、上記実施形態と異なる点は、例えば、突出部２５，２６の形状である。
【００４９】
図１０および図１１に示すように、実施形態の第２変形例に係る突出部２５，２６は、第一方向Ｌに沿って延在している。第一突出部２５および第二突出部２６は、例えば、芯線圧着部１２のうちベルマウス部２７を除く部分に対して、第一方向Ｌに沿って一端から他端まで形成されている。第一方向Ｌと直交する断面における突出部２５，２６の断面形状は、例えば、矩形である。突出部２５，２６の断面形状は、台形や半円形状であってもよい。第一突出部２５および第二突出部２６が第一方向Ｌに沿った広い範囲に形成されることで、第一突出部２５および第二突出部２６の体積を大きくすることができる。よって、実施形態の第２変形例に係る端子付き電線２によれば、圧着端子１の伸びが抑制される。
【００５０】
［実施形態の第３変形例］
実施形態の第３変形例について説明する。図１２は、実施形態の第３変形例に係る端子付き電線の断面図である。実施形態の第３変形例において、上記実施形態と異なる点は、例えば、第一加締片２２および第二加締片２３が重なり合いながら加締められる点である。
【００５１】
図１２に示すように、第一加締片２２および第二加締片２３は、重なり合いながら芯線６１に対して巻き付けられている。本変形例の圧着端子１では、第一加締片２２および第二加締片２３が芯線６１の先端６１ａから被覆６２までを一体に覆う。つまり、上記実施形態の芯線圧着部１２と被覆圧着部１３とが一体となっている。
【００５２】
圧着端子１は、例えば、第一加締片２２の外側に第二加締片２３が重なるように芯線６１に対して加締められる。この場合、例えば、外側に位置する第二加締片２３に突出部２８が形成される。突出部２８は、例えば、第二加締片２３の頂部に形成される。言い換えると、突出部２８は、第二加締片２３の外側面２３ｄにおいて、底壁部２１から最も遠い位置に形成されてもよい。なお、第二加締片２３に複数の突出部２８が形成されてもよい。
【００５３】
［実施形態の第４変形例］
実施形態の第４変形例について説明する。端子付き電線２には、防食用の樹脂膜が形成されてもよい。樹脂膜は、例えば、芯線６１の先端６１ａや、中間露出部６１ｂを覆うように形成される。樹脂膜は、更に、芯線圧着部１２の溝部２４に形成されてもよい。
【００５４】
突出部の形状、配置、個数等は、上記実施形態および変形例で例示された突出部２５，２６，２８の形状、配置、個数等には限定されない。突出部の形状、配置、個数等は、電線６０に対する圧着端子１の加締め形状などに応じて適宜定められる。
【００５５】
上記の実施形態および変形例に開示された内容は、適宜組み合わせて実行することができる。
【符号の説明】
【００５６】
１  圧着端子
２  端子付き電線
１１  端子接続部
１２  芯線圧着部
１３  被覆圧着部
１３ａ  頂部
１４，１５  中間部
１５ａ：底部、  １５ｂ：側壁部
２１，３１  底壁部
２１ａ  凹部
２２  第一加締片
２２ｂ：湾曲部
２３  第二加締片
２３ｂ：湾曲部
２４  溝部
２５  第一突出部
２５ａ  先端
２６  第二突出部
２６ａ  先端
２７  ベルマウス部
２８  突出部
３２  第三加締片
３３  第四加締片
４０  下型
４０ａ  支持面
５０  上型
６０  電線
６１  芯線
６１ａ：先端、  ６１ｂ：中間露出部
６２  被覆
６２ａ  先端
７０  第一上型
７０ａ  主面
７１  第一加締め面
７２  第一壁面
７３  第二壁面
７４  第一曲面
７４ａ  境界部
７５  第二曲面
７５ａ  境界部
７６  峰部
７７  凹部
７８：第一凹部、  ７９：第二凹部
８０  端部傾斜面
１００  端子圧着装置
Ｌ  第一方向
Ｗ  第二方向
Ｈ  第三方向
【図１】
2020170626.tif 000003
【図２】
2020170626.tif 000004
【図３】
2020170626.tif 000005
【図４】
2020170626.tif 000006
【図５】
2020170626.tif 000007
【図６】
2020170626.tif 000008
【図７】
2020170626.tif 000009
【図８】
2020170626.tif 000010
【図９】
2020170626.tif 000011
【図１０】
2020170626.tif 000012
【図１１】
2020170626.tif 000013
【図１２】
2020170626.tif 000014